(57)【要約】 【課題】１つの画像加工部（Ｍ／Ｅバンク）が主回路ブロック，副回路ブロックに分けて使用される画像切り換え装置において、視認上の画像の乱れを生じることなく、一方のブロックの出力映像信号を他方のブロックにリエントリ可能にする。【解決手段】同じＭ／Ｅバンク内の主回路ブロック６，副回路ブロック７のうちの一方のブロックの出力映像信号が他方のブロックにリエントリされる場合は、このリエントリされる映像信号を、他方のブロックの他の入力映像信号に対して１水平期間の整数倍遅延させる。【選択図】図４
2009141517.tif 000002
【特許請求の範囲】
【請求項１】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部と
で構成されており、
前記画像加工部は、前記主操作部に専用の主回路ブロックと、前記副操作部によって使用される副回路ブロックとを含んでおり、前記副回路ブロックの少なくとも一部の回路は、前記主操作部によって共用される共通回路であり、前記主回路ブロック，前記副回路ブロックのそれぞれに、エフェクトを施す前に各入力映像信号の遅延時間を調整する遅延調整手段が設けられており、
前記画像加工部の使用モードを標準モードか２分割モードかのいずれかに設定するモード設定手段が設けられており、
前記主操作部は、前記標準モード時には、前記副操作部からの指示を前記制御部に転送せず、前記２分割モード時には前記副操作部からの指示を前記制御部に転送し、
前記制御部は、
前記標準モード時には、前記主操作部からの指示に応じて前記画像加工部を制御し、
前記２分割モード時には、前記主操作部からの指示に応じて前記画像加工部を制御するとともに、前記主操作部によって転送された前記副操作部からの指示に応じて前記副回路ブロックを制御し、前記主回路ブロック，前記副回路ブロックのうちの一方のブロックの出力映像信号が他方のブロックに再入力される場合は、該他方のブロックの前記遅延調整手段を制御して、前記再入力される映像信号を、該他方のブロックの他の入力映像信号に対して１水平期間の整数倍遅延させる
ことを特徴とする画像切り換え装置。
【請求項２】
請求項１に記載の画像切り換え装置において、
前記画像加工部は、複数チャンネルの入力映像信号の中から複数の入力バスでそれぞれ映像信号を選択する入力選択部と、前記入力選択部で選択された映像信号にエフェクトを施す画像合成部とを含んでおり、
前記入力選択部は、２本以上の入力バスが、前記主回路ブロックを構成する主入力バスであるとともに、残りの２本以上の入力バスが、前記副回路ブロックを構成する副入力バスであり、前記副入力バスのうちの１本以上の入力バスが、前記共通回路を構成する共通入力バスであり、
前記主入力バス，前記副入力バスの１本毎に、前記遅延調整手段が設けられている
ことを特徴とする画像切り換え装置。
【請求項３】
請求項１に記載の画像切り換え装置において、
画像切り換え装置の外部に出力する映像信号のうち、前記遅延調整手段によって１水平期間の整数倍遅延された映像信号の最初の前記整数本分の水平ラインの部分をマスキングするマスキング手段
をさらに備えたことを特徴とする画像切り換え装置。
【請求項４】
請求項１に記載の画像切り換え装置において、
前記２分割モード時に１Ｈディレイモードとスプリットモードとのいずれを採用するかを設定するための設定手段がさらに設けられており、
前記制御部は、
前記１Ｈディレイモードに設定された場合は、前記２分割モード時に、前記主回路ブロック，前記副回路ブロックのうちの一方のブロックの出力映像信号が他方のブロックに再入力される場合、該他方のブロックの前記遅延調整手段を制御して、前記再入力される映像信号を、該他方のブロックの他の入力映像信号に対して１水平期間の整数倍遅延させ、
前記スプリットモードに設定された場合は、前記主操作部による前記共通回路の使用を禁止し、前記標準モード時には、前記遅延調整手段を制御して、前記画像加工部に入力された全ての映像信号の位相を同位相とし、前記２分割モード時には、前記遅延調整手段を制御して、前記主回路ブロックに入力する映像信号の位相と、前記副回路ブロックに入力する映像信号の位相とを別の位相とする
ことを特徴とする画像切り換え装置。
【請求項５】
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部と
で構成されており、
前記画像加工部は、前記主操作部に専用の主回路ブロックと、前記副操作部によって使用される副回路ブロックとを含み、前記主回路ブロック，前記副回路ブロックのそれぞれに、エフェクトを施す前に各入力映像信号の遅延時間を調整する遅延調整手段が設けられており、
前記画像加工部の使用モードを標準モードか２分割モードかのいずれかに設定するモード設定手段が設けられており、
前記制御部は、
前記標準モード時には、前記遅延調整手段を制御して、前記画像加工部に入力された全ての映像信号の位相を同位相とし、
前記２分割モード時には、前記遅延調整手段を制御して、前記主回路ブロックに入力する映像信号の位相と、前記副回路ブロックに入力する映像信号の位相とを別の位相とする
ことを特徴とする画像切り換え装置。
【発明の詳細な説明】
【技術分野】
【０００１】
本発明は、画像切り換え装置に関し、特に、１つの画像加工部が２つのブロックに分けて使用される画像切り換え装置において、視認上の画像の乱れを生じることなく、一方のブロックの出力映像信号を他方のブロックにリエントリ（再入力）可能にしたものに関する。
【背景技術】
【０００２】
テレビジョン放送等において映像を編集するために使用される業務用の装置の一つに、画像切り換え装置（スイッチャ）が存在する。画像切り換え装置は、複数チャンネルの入力映像信号（ビデオカメラやＶＴＲ等からの映像信号）の中から映像信号を切り換えて出力したり、切り換え時に映像信号にワイプやミックス等のエフェクトを施す装置である。画像切り換え装置の出力映像信号は、番組送出用の機器や映像記録装置やモニター等に送られる。
【０００３】
画像切り換え装置では、従来から、１つのＭ／Ｅバンク（画像加工部）の出力映像信号を別のＭ／Ｅバンクにリエントリさせることにより、映像信号に複数段のエフェクトを施すことが行われている。
【０００４】
図１は、そうした画像切り換え装置の構成の概要を示す図である。この画像切り換え装置は、４つのＭ／Ｅバンク５１ａ〜５１ｄを設け、１つのＭ／Ｅバンクからの出力映像信号を他のＭ／Ｅバンクにリエントリさせるようにしたものである。各Ｍ／Ｅバンクは、それぞれ入力選択部５２と合成処理部５５とを有している。入力選択部５２は、各入力ライン５３ａ〜５３ｊを入力バス５４ａ〜５４ｃのいずれかに接続するマトリクス状の選択スイッチ群を有しており、入力バス５４ａ〜５４ｃでそれぞれ１チャンネルずつの映像信号を選択できる。入力選択部５２で選択された映像信号は、合成処理部５５でワイプやミックス等のエフェクトを施されて、他のＭ／Ｅバンクに入力ライン５３ｇ〜５３ｊからリエントリされる。また、各入力ライン５３ａ〜５３ｊから入力バス５４ｄで選択された１チャンネルの映像信号が、出力回路５６からこの画像切り換え装置の外部に出力される。
【０００５】
この画像切り換え装置では、例えば、Ｍ／Ｅバンク５１ａで外部からの映像信号を選択し、Ｍ／Ｅバンク５１ｂでＭ／Ｅバンク５１ａの出力映像信号を選択し、Ｍ／Ｅバンク５１ｃでＭ／Ｅバンク５１ｂの出力映像信号を選択し、Ｍ／Ｅバンク５１ｄでＭ／Ｅバンク５１ｃの出力映像信号を選択し、出力回路５６でＭ／Ｅバンク５１ｄの出力映像信号を選択することにより、外部からの映像信号に、Ｍ／Ｅバンク５１ａ〜５１ｄで順に４段のエフェクトを施して出力することができる。
【０００６】
図２は、図１のＭ／Ｅバンク５１ａ〜５１ｄ，出力回路５６に映像信号を順に入力させた場合の、各Ｍ／Ｅバンク５１ａ〜５１ｄ，出力回路５６の処理の時間的ずれを示す図である。外部からの映像信号に対する入力処理や色補正処理等（図１ではこれらの処理を行う回路は省略している）に要する時間が最大ｔｐであり、Ｍ／Ｅバンク５１ａの処理はタイミングｔｐから開始する。
【０００７】
個々のＭ／Ｅバンクでの処理に要する時間が最大ｔｍであるとすると、Ｍ／Ｅバンク５１ｂの処理はタイミングｔ１＝ｔｐ＋ｔｍから開始し、Ｍ／Ｅバンク５１ｃの処理はタイミングｔ２＝ｔ１＋ｔｍから開始し、Ｍ／Ｅバンク５１ｄの処理はタイミングｔ３＝ｔ２＋ｔｍから開始し、出力回路５６の処理はタイミングｔ４＝ｔ３＋ｔｍから開始する。
【０００８】
ここで、例えばＭ／Ｅバンク５１ｂに供給される映像信号に着目すると、Ｍ／Ｅバンク５１ａの出力信号は、ｔ１よりもわずかに早いタイミングでＭ／Ｅバンク５１ｂ内の画像合成部５５の入力側に到達する。Ｍ／Ｅバンク５１ｂでは、この映像信号の水平期間の先頭であるＥＡＶ（End of Active Video）を検出し、ｔ１よりもタイミングが早かった分だけ遅延（いわば、ハードウェアによるバッファリング）を加えて、画像合成部５５に供給する（図１ではこうした遅延を加える回路は省略している）。
【０００９】
また、外部からの映像信号もＭ／Ｅバンク５１ｂに供給する場合、その映像信号は、ｔｐよりもわずかに早いタイミングでＭ／Ｅバンク５１ｂ内の画像合成部５５の入力側に到達する。Ｍ／Ｅバンク５１ｂでは、この映像信号のＥＡＶを検出し、ｔｐよりもタイミングが早かった分＋ｔｍだけ遅延を加えて、画像合成部５５に供給する。
【００１０】
これにより、Ｍ／Ｅバンク５１ａからリエントリされる映像信号も、外部からの映像信号も、Ｍ／Ｅバンク５１ｂの画像合成部５５の入口では同位相ｔ１となるので、この２つの映像信号を加工した際に画像のずれを生じることがなくなる。（もし画像合成部５５の入口で２つの映像信号の位相がずれているとすると、例えば２つの映像を合成した際に、片方の映像が画面上で横にずれてしまうので、画像の乱れを生じてしまう。）
【００１１】
ここではＭ／Ｅバンク５１ｂに着目したが、Ｍ／Ｅバンク５１ｃ，５１ｄでも、映像信号が何段目にリエントリされるＭ／Ｅバンクであるかを考慮して、映像信号に同様な遅延が加えられる。なお、この画像切り換え装置の全体としての信号処理時間が１Ｈ（１水平期間）と規定されている場合には、出力回路５６では、１Ｈ−ｔ４と出力回路５６での処理に要する時間との差分だけ映像信号に遅延を加える。
【００１２】
ところで、本出願人は、１つのＭ／Ｅバンクを主回路ブロック，副回路ブロックという  ２つのブロックに分けて使用可能にしたり、さらに、副回路ブロックの一部の回路を主回路ブロックとしても使用される共通回路とした画像切り換え装置を提案している（特許文献１，２）。
【００１３】
こうした画像切り換え装置によれば、画像切り換え装置を少数の回路で構成して、その回路を用途の変化に応じて無駄なく使い分けることができる。
【００１４】
【特許文献１】特開２００７−７４７１３号公報
【特許文献２】特開２００７−１６６５８７号公報
【発明の開示】
【発明が解決しようとする課題】
【００１５】
この特許文献１や特許文献２に記載の画像切り換え装置において、１つのＭ／Ｅバンクの主回路ブロックと副回路ブロックとの間でリエントリを行う場合を考えてみる。例えば外部からの映像信号に対して図２のタイミングｔｐで主回路ブロックの処理を開始し、主回路ブロックの出力映像信号を同じＭ／Ｅバンクの副回路ブロックにリエントリさせたとすると、この映像信号は、外部から副回路ブロックに供給される映像信号よりもｔｍ弱遅延して（図２のｔ１よりもわずかに早いタイミングで）、副回路ブロック内の画像合成部の入力側に到達することになる。
【００１６】
しかし、これらの特許文献に記載の画像切り換え装置では、副回路ブロックの一部が主回路ブロックとの共通回路とされるため、副回路ブロックを主回路ブロックと同位相（ここでは位相ｔｐ）で動作させている。すなわち、主回路ブロックでは、ｔｐよりもタイミングが早かった分だけ映像信号に遅延が加えられるので、副回路ブロックでも、同様のｔｐで動作するように映像信号に遅延を加えることになる。
【００１７】
そのため、主回路ブロックからの映像信号と外部からの映像信号とを副回路ブロックに供給すると、副回路ブロック内の画像合成部の入口で２つの映像信号の位相がずれているので、この２つの映像信号を加工した際に画像のずれを生じてしまう（例えば２つの映像を合成した際に、片方の映像が画面上で横にずれてしまうので、画像の乱れを生じてしまう）。
【００１８】
ここでは、主回路ブロックの出力映像信号を副回路ブロックにリエントリさせる例を挙げたが、副回路ブロックの出力映像信号を主回路ブロックにリエントリさせる場合も全く同様である。
【００１９】
このように、特許文献１，２に記載の画像切り換え装置では、少数の回路を用途の変化に応じて無駄なく使い分けることができるものの、主回路ブロックと副回路ブロックとの間で映像信号をリエントリさせるような運用を行うことはできなかった。
【００２０】
本発明は、上述の点に鑑み、特許文献１，２に記載の画像切り換え装置のように、１つの画像加工部（Ｍ／Ｅバンク）が主回路ブロック，副回路ブロックという２つのブロックに分けて使用される画像切り換え装置において、画像の乱れを少なくとも視認上は生じることなく、一方のブロックの出力映像信号を他方のブロックにリエントリ可能にすることを課題とする。
【課題を解決するための手段】
【００２１】
上記課題を解決するために、本発明に係る第１の画像切り換え装置は、
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部と
で構成されており、
前記画像加工部は、前記主操作部に専用の主回路ブロックと、前記副操作部によって使用される副回路ブロックとを含んでおり、前記副回路ブロックの少なくとも一部の回路は、前記主操作部によって共用される共通回路であり、前記主回路ブロック，前記副回路ブロックのそれぞれに、エフェクトを施す前に各入力映像信号の遅延時間を調整する遅延調整手段が設けられており、
前記画像加工部の使用モードを標準モードか２分割モードかのいずれかに設定するモード設定手段が設けられており、
前記主操作部は、前記標準モード時には、前記副操作部からの指示を前記制御部に転送せず、前記２分割モード時には前記副操作部からの指示を前記制御部に転送し、
前記制御部は、
前記標準モード時には、前記主操作部からの指示に応じて前記画像加工部を制御し、
前記２分割モード時には、前記主操作部からの指示に応じて前記画像加工部を制御するとともに、前記主操作部によって転送された前記副操作部からの指示に応じて前記副回路ブロックを制御し、前記主回路ブロック，前記副回路ブロックのうちの一方のブロックの出力映像信号が他方のブロックに再入力される場合は、該他方のブロックの前記遅延調整手段を制御して、前記再入力される映像信号を、該他方のブロックの他の入力映像信号に対して１水平期間の整数倍遅延させる
ことを特徴とすることを特徴とする。
【００２２】
この画像切り換え装置では、画像加工部を制御する制御部に通信路で接続された主操作部と、この主操作部に通信路によって接続可能な副操作部との２つの操作部が設けられる。
【００２３】
画像加工部（Ｍ／Ｅバンク）は、主操作部に専用の主回路ブロックと、副操作部によって使用される副回路ブロックとを含んでおり、副回路ブロックの少なくとも一部の回路は、主操作部によって共用される共通回路になっている。また、主回路ブロック，副回路ブロックのそれぞれに、エフェクトを施す前に各入力映像信号の遅延時間を調整する遅延調整手段が設けられている。
【００２４】
この画像加工部の使用モードは、標準モードか２分割モードかのいずれかに設定される。標準モード時には  主操作部は、主操作部の操作による指示を制御部に送信するが、副操作部からの指示を制御部に転送しない。そして、制御部が、この主操作部からの指示に応じて画像加工部を制御する。これにより、主操作部によって主回路ブロック及びこの共通回路を動作させて、１チャンネルの映像信号を生成（画像加工部から出力）することができる。
【００２５】
他方、２分割モード時には、主操作部は、主操作部の操作による指示を制御部に送信するとともに、副操作部の操作による副操作部からの指示を制御部に転送する。そして、制御部が、主操作部からの指示に応じて画像加工部を制御するとともに、副操作部からの指示に応じて副回路ブロックを制御する。これにより、主操作部によって主回路ブロックを動作させて１チャンネルの映像信号を生成（画像加工部から出力）させるのと同時に、副操作部によって副回路ブロックを動作させて別の１チャンネルの映像信号を同時に生成（画像加工部から同時に出力）することができる。
【００２６】
このように、同じ画像切り換え装置内の１つの画像加工部内の回路が、主操作部のみによって１チャンネルの映像信号を生成する用途と、主操作部，副操作部のそれぞれによって合計２チャンネルの映像信号を生成する用途とに共用される。
【００２７】
これにより、画像切り換え装置を様々な用途で使用できるだけでなく、画像切り換え装置を少数の回路で構成し、その回路を用途の変化に応じて無駄なく使い分けることができる。
【００２８】
また、この画像切り換え装置では、２分割モード時において主回路ブロック，副回路ブロックのうちの一方のブロックの出力映像信号が他方のブロックに再入力（リエントリ）される場合、制御部が、この他方のブロックの遅延調整手段を制御して、このリエントリされる映像信号を、この他方のブロックの他の入力映像信号に対して１水平期間の整数倍遅延させる。
【００２９】
このように１水平期間の整数倍遅延された映像信号と他の入力映像信号とを例えば合成した場合、画面上では、遅延された映像は１または複数ライン分下側にずれるが、横にずれることがない。したがって、ずれのライン数（遅延調整手段で何水平期間分遅延させるか）を少なくすればするほど、合成された映像は、視認上、ずれのない映像とほとんど同じに見えるようになる。
【００３０】
これにより、視認上の画像の乱れを生じることなく、主回路ブロック，副回路ブロックのうちの一方のブロックの出力映像信号を他方のブロックにリエントリさせることができる。
【００３１】
次に、本発明に係る第２の画像切り換え装置は、
入力する複数チャンネルの映像信号の中から映像信号を切り換えて出力する処理と、切り換え時に映像信号にエフェクトを施す処理とを行う画像加工部と、
前記画像加工部を制御する制御部と、
前記制御部に通信路で接続されており、前記画像加工部を操作するための主操作部と、
通信路によって前記主操作部に接続が可能であり、前記画像加工部を操作するための副操作部と
で構成されており、
前記画像加工部は、前記主操作部に専用の主回路ブロックと、前記副操作部によって使用される副回路ブロックとを含み、前記主回路ブロック，前記副回路ブロックのそれぞれに、エフェクトを施す前に各入力映像信号の遅延時間を調整する遅延調整手段が設けられており、
前記画像加工部の使用モードを標準モードか２分割モードかのいずれかに設定するモード設定手段が設けられており、
前記制御部は、
前記標準モード時には、前記遅延調整手段を制御して、前記画像加工部に入力された全ての映像信号の位相を同位相とし、
前記２分割モード時には、前記遅延調整手段を制御して、前記主回路ブロックに入力する映像信号の位相と、前記副回路ブロックに入力する映像信号の位相とを別の位相とする
ことを特徴とする。
【００３２】
この画像切り換え装置では、共通回路を設けず、主回路ブロックと副回路ブロックとを完全に分離した上で、２分割モード時において、主回路ブロックの入力映像信号と副回路ブロックの入力映像信号とが別の位相とされる。したがって、同じ画像加工部（Ｍ／Ｅバンク）内の主回路ブロックと副回路ブロックとが、図１及び図２に示した別々のＭ／Ｅバンクのように別位相で動作する。
【００３３】
このように別位相で動作する主回路ブロック，副回路ブロックのうちの一方のブロックの出力映像信号を他方のブロックにリエントリさせた場合、この他方のブロックでは、リエントリされた映像信号と他の入力映像信号とを同位相とすることができるので、この２つの映像信号を加工した際に画像のずれをなくすことができる。
【００３４】
これにより、画像の乱れを全く生じることなく、主回路ブロック，副回路ブロックのうちの一方のブロックの出力映像信号を他方のブロックにリエントリさせることができる。
【発明の効果】
【００３５】
本発明に係る第１の画像切り換え装置によれば、１つの画像加工部が主回路ブロックと副回路ブロックとに分けて使用される画像切り換え装置において、副回路ブロックの一部の回路を主回路ブロックとの共通回路として使用可能にしたまま、視認上の画像の乱れを生じることなく、主回路ブロック，副回路ブロックのうちの一方のブロックの出力映像信号を他方のブロックにリエントリさせることができるという効果が得られる。
【００３６】
本発明に係る第２の画像切り換え装置によれば、１つの画像加工部が主回路ブロックと副回路ブロックとに分けて使用される画像切り換え装置において、画像の乱れを全く生じることなく、主回路ブロック，副回路ブロックのうちの一方のブロックの出力映像信号を他方のブロックにリエントリさせることができるという効果が得られる。
【発明を実施するための最良の形態】
【００３７】
以下、本発明を図面を用いて具体的に説明する。図３は、本発明を適用した画像切り換え装置（スイッチャ）の全体構成を示す図である。この画像切り換え装置は、スイッチャ本体１と、コントロールパネル２と、リモートコントローラ３とで構成されている。
【００３８】
スイッチャ本体１とコントロールパネル２とは、例えばネットワーク（ＬＡＮ）のような通信路１２で接続されている。
【００３９】
コントロールパネル２は、パラレル入出力を行うためのＧＰＩ（General Purpose Interface）のコネクタと、シリアル通信規格のコネクタとを有しており、リモートコントローラ３もこの２つのコネクタを有している。コントロールパネル２とリモートコントローラ３とは、前者のコネクタ（ＧＰＩ）を用いて通信路１３で接続されるとともに、後者のコネクタを用いて通信路１４で接続されている。
【００４０】
コントロールパネル２は、スイッチャ本体１の近くでスイッチャ本体１を操作する（例えばスイッチャ本体１がテレビジョン放送用の中継車両の中に設置されている場合には、その中継車両の中で操作する）ための操作部であり、請求項１における主操作部に該当する。
【００４１】
リモートコントローラ３は、例えばスイッチャ本体１から離れた場所（例えばスイッチャ本体１がテレビジョン放送用の中継車両の中に設置されている場合には、その中継車両の外）で、コントロールパネル２とは別のオペレータが操作するための操作部であり、請求項における副操作部に該当する。あるいは、リモートコントローラ３は、コントロールパネル２に連結して同じ場所で操作される運用形態も有り得る。コントロールパネル２だけでスイッチャ本体１を操作する場合には、リモートコントローラ３は、通信路１３及び１４をコネクタから抜くことによってこの画像切り換え装置から取り外すことができスペースを有効に活用できる。
【００４２】
スイッチャ本体１内には、制御部４と、４つのＭ／ＥバンクＭ／Ｅ１〜Ｍ／Ｅ４と、カラーコレクション（色補正）部１０と、出力部１１とが設けられている。コントロールパネル２は、制御部４と接続されている。
【００４３】
スイッチャ本体１の入力ラインＩ１〜Ｉ６には、画像切り換え装置の外部から映像信号が入力される。スイッチャ本体１の入力ラインＩ７〜Ｉ１５には、Ｍ／ＥバンクＭ／Ｅ１〜Ｍ／Ｅ４，カラーコレクション部１０の出力映像信号が入力される（各Ｍ／ＥバンクＭ／Ｅ１〜Ｍ／Ｅ４からは、後述する主画像合成部６，副画像合成部７からの２系統の出力映像信号が入力される）。
【００４４】
Ｍ／ＥバンクＭ／Ｅ１〜Ｍ／Ｅ４は、同一の構成をしている。図４は、Ｍ／ＥバンクＭ／Ｅ１〜Ｍ／Ｅ４の構成を示す図である。各Ｍ／ＥバンクＭ／Ｅ１〜Ｍ／Ｅ４には、入力選択部５，主画像合成部６，副画像合成部７，内部信号発生器８及び合成選択部９が設けられている。
【００４５】
入力選択部５の入力バス５ａ，５ｂ，５ｃは、コントロールパネル２に専用の主入力バス（主入力バス１，主入力バス２，予備の主入力バス）である。
【００４６】
また、入力選択部５の入力バス５ｄ，５ｅ，５ｆは、リモートコントローラ３によって使用される副入力バス（副入力バス１，副入力バス２，予備の副入力バス）であり、そのうちの入力バス５ｄ（副入力バス１）は、コントロールパネル２によって共用される共通入力バスになっている。
【００４７】
主画像合成部６，副画像合成部７は、それぞれ、合成選択部９から後述のようにして供給される映像信号に、ワイプやミックス等のエフェクトを施す回路である。図５に、このエフェクトの具体例を示す。
【００４８】
図５（ａ）は、ワイプを示す。ワイプとは、画面に表示する映像を、左端の画面のように現在の映像信号（文字「Ａ」の集合で表している）のみを表示した状態から、中央の画面のように徐々に次の映像信号（文字「Ｂ」の集合で表している）に入れ替えていき、最終的に、右端の画面のように全て当該次の映像信号に入れ替える処理である。
【００４９】
図５（ｂ）は、ワイプボーダー（Wipe Border）を示す。ワイプボーダーとは、図５（ａ）に示したようなワイプを行う際に、中央の画面のように、現在の映像信号（文字「Ａ」の集合で表している）と次の映像信号（文字「Ｂ」の集合で表している）との間に、別の第３の映像信号（文字「Ｃ」の集合で表している）を挟む処理である。この第３の映像信号は、ワイプボーダーフィル（Wipe Border Fill）と呼ばれる。
【００５０】
図５（ｃ）は、ＤＭＥ−ワイプを示す。ＤＭＥ−ワイプとは、現在の映像信号と次の映像信号とを画面内で移動させて入れ替える処理である。図５（ｃ）の例では、左端の画面のように現在の映像信号（文字「Ａ」の集合で表している）のみを表示した状態から、中央の画面のように、次の映像信号（文字「Ｂ」の集合で表している）が画面の左下から出現して右上方向に移動していくのと同時に、現在の映像信号が右上方向に移動して画面の外に出て行き、最終的に、右端の画面のように全て当該次の映像信号に入れ替わっている。現在の映像信号と次の映像信号との間には、別の第３の映像信号（文字「Ｃ」の集合で表している）が挟まれている。この第３の映像信号は、背景信号と呼ばれる。
【００５１】
各Ｍ／ＥバンクＭ／Ｅ１〜Ｍ／Ｅ４の主画像合成部６，副画像合成部７によってエフェクトを施された映像信号は、図３に示したように、スイッチャ本体１の入力ラインＩ７〜Ｉ１４に入力される。
【００５２】
内部信号発生器８は、スイッチャ本体１内部で、例えば青色，赤色といったような単色の映像信号または２色を混合した映像信号を、２チャンネル発生する（主内部発生信号，副内部発生信号として出力する）回路である。
【００５３】
合成選択部９は、主現在出力信号ライン９ａ，主次回出力信号ライン９ｂ，主補完信号ライン９ｃ，副現在出力信号ライン９ｄ，副次回出力信号ライン９ｅ，副補完信号ライン９ｆという６本の出力ラインを有している。
【００５４】
主現在出力信号ライン９ａは、図３に示したような現在の映像信号を主画像合成部６に供給するためのラインである。主次回出力信号ライン９ｂは、図３に示したような次の映像信号を主画像合成部６に供給するためのラインである。主補完信号ライン９ｃは、図５（ｂ）に示したワイプボーダーフィルや図５（ｃ）に示した背景信号を主画像合成部６に供給するためのラインである。
【００５５】
副現在出力信号ライン９ｄは、副画像合成部７に現在の映像信号を供給するためのラインである。副次回出力信号ライン９ｅは、副画像合成部７に次の映像信号を供給するためのラインである。副補完信号ライン９ｆは、副画像合成部７にワイプボーダーフィルや背景信号を供給するためのラインである。
【００５６】
主現在出力信号ライン９ａ，主次回出力信号ライン９ｂは、それぞれ、入力選択部５の入力バス５ａ（主入力バス１）からの映像信号か入力バス５ｂ（主入力バス２）からの映像信号かのいずれかを選択するための選択スイッチを有している。
【００５７】
主補完信号ライン９ｃは、入力選択部５の入力バス５ｄ（共通入力バスである副入力バス１）からの映像信号か内部信号発生器８からの主内部発生信号かのいずれかを選択するための選択スイッチを有している。
【００５８】
副現在出力信号ライン９ｄ，副次回出力信号ライン９ｅは、それぞれ、入力選択部５の入力バス５ｄ（副入力バス１）からの映像信号か入力バス５ｅ（副入力バス２）からの映像信号かのいずれかを選択するための選択スイッチを有している。
【００５９】
副補完信号ライン９ｆは、内部信号発生器８からの副内部発生信号のみを選択するための選択スイッチを有している。
【００６０】
合成選択部９の前段には、各入力バス５ａ〜５ｆ毎に遅延調整回路２０ａ〜２０ｆが設けられている。遅延調整回路２０ａ〜２０ｆは、映像信号の水平期間の先頭であるＥＡＶ（End of Active Video）を検出する回路と、映像信号を遅延させるためのバッファメモリとを有している。
【００６１】
入力選択部５，主画像合成部６，副画像合成部７，内部信号発生器８及び合成選択部９は、請求項における画像加工部に該当する。このうち、入力選択部５の入力バス５ａ〜５ｃと主画像合成部６と合成選択部９のライン９ａ〜９ｃとは、請求項における主回路ブロックに該当し、入力選択部５の入力バス５ｄ〜５ｆと副画像合成部７と合成選択部９のライン９ｄ〜９ｆとは、請求項における副回路ブロックに該当し、入力選択部５の入力バス５ｄは請求項における共通回路に該当する。また、図３の制御部４は、これらの各部を制御するマイクロコンピュータであり、請求項における制御部に該当する。
【００６２】
図３に示すように、カラーコレクション部１０には、カラーコレクション回路１０ｂと、入力ラインＩ１〜Ｉ１５の中からカラーコレクション回路１０ｂに供給する映像信号を選択する入力バス１０ａとが設けられている。出力部１１にも、出力回路１１ｂと、入力ラインＩ１〜Ｉ１５の中から出力回路１１ｂに供給する映像信号を選択する入力バス１１ａとが設けられている。出力回路１１は、映像信号の出力処理の一つとして、垂直ブランク・マスク処理の機能を有している。垂直ブランク・マスク処理は、映像信号の画像領域のうち、最初と最後の数ライン（水平走査線）について、映像信号を通さず、黒画素に書き換えて出力する処理である。
【００６３】
コントロールパネル２の構成の概要を図６に示す。コントロールパネル２には、制御部２１と、操作入力部２２と、表示部２３と、図２の各通信路１２〜１４に対応した通信用のインタフェース２４〜２６とが設けられている。
【００６４】
操作入力部２２には、表示部２３に表示されるＧＵＩ画面を見ながら図２のスイッチャ本体１の設定や操作を行うための各種の操作手段が設けられており、その操作手段の中には次のようなものが含まれている。
（１）個々のＭ／ＥバンクＭ／Ｅ１〜Ｍ／Ｅ４の入力選択部５の入力バス５ａ，５ｂ，５ｄ（主入力バス１，主入力バス２，共通入力バスである副入力バス１）で映像信号を選択するための操作釦
（２）個々のＭ／ＥバンクＭ／Ｅ１〜Ｍ／Ｅ４の主画像合成部６でのエフェクトの種類を選択するための操作釦
（３）個々のＭ／ＥバンクＭ／Ｅ１〜Ｍ／Ｅ４の主画像合成部６でエフェクトを施す際に、現在の映像信号と次の映像信号とを合成する割合やその割合を変化させる速度を手動で調整するためのフェーダー・レバー
（４）個々のＭ／ＥバンクＭ／Ｅ１〜Ｍ／Ｅ４の使用モードを標準モードか２分割モードかのいずれかに設定するための「使用モード設定釦」
（５）カラーコレクション部１０で映像信号を選択するための操作釦
（６）出力部１１で映像信号を選択するための操作釦
（７）セットアップ時の操作の一つとして、２分割モード時に後述する１Ｈディレイモードとスプリットモードとのいずれを採用するかを設定するための操作釦
（８）セットアップ時の操作の一つとして、２分割モード時に同じＭ／Ｅバンク内の主画像合成部６と副画像合成部７との間での映像信号のリエントリを許可するか禁止するか（Enable, Disable)を設定するための操作釦
【００６５】
表示部２３は、例えば液晶ディスプレイから成っており、操作に必要な情報や操作状態等が表示される。
【００６６】
制御部２１は、マイクロコンピュータから成っており、操作入力部２２の操作内容に応じた指示を、通信路１２経由でスイッチャ本体１内の制御部４に送信する（但し、入力選択部５の入力バス５ｄ（共通入力バスである副入力バス１）を動作させる操作が行われたときは、後で図７を用いて説明するような処理を行う）。
【００６７】
また、制御部２１は、操作入力部２２の操作内容や、スイッチャ本体１内の制御部４から受信した情報等に応じて表示部２３の表示内容を制御する。さらに、制御部２１は、リモートコントローラ３から通信路１３，１４経由でトリガや指示が送信されると、後で図８を用いて説明するような処理を行う。
【００６８】
リモートコントローラ３にも、図示は省略するが、マイクロコンピュータから成る制御部と、次のような操作手段を含む操作入力部とが設けられている。
（１）スイッチャ本体１内の入力選択部５の入力バス５ｄ，５ｅ（副入力バス１，副入力バス２）で映像信号を選択するための操作釦
（２）副画像合成部７でのエフェクトの種類を選択するための操作釦
（３）副画像合成部７でエフェクトを施す際に、現在の映像信号と次の映像信号とを合成する割合やその割合を変化させる速度を手動で調整するためのフェーダー・レバー
【００６９】
リモートコントローラ３内の制御部は、これらの操作入力部の操作に基づき、或るＭ／Ｅバンクの副画像合成部７を動作させるトリガを通信路１３経由でＧＰＩ信号としてコントロールパネル２内の制御部２１に送信するとともに、その他の指示を通信路１４経由で制御部２１に送信する。
【００７０】
次に、コントロールパネル２の操作入力部２２の「使用モード設定釦」で設定される使用モードに関連してコントロールパネル２内の制御部２１が実行する処理について、図７及び図８を用いて説明する。
【００７１】
コントロールパネル２内の制御部２１は、「使用モード設定釦」による使用モードの設定が標準モードから２分割モードに変化すると、２分割モード移行指示を通信路１２経由でスイッチャ本体１内の制御部４に送信し、他方、「使用モード設定釦」による使用モードの設定が２分割モードから標準モードに変化すると、２分割モード解除指示を通信路１２経由で制御部４に送信する。
【００７２】
また、制御部２１は、入力選択部５の入力バス５ｄ（共通入力バスである副入力バス１）を動作させる操作が操作入力部２２で行われると、図７に示すような処理を実行する。副入力バス１を動作させる操作が行われたことを示す信号を操作入力部２２から受け取ると（ステップＳ１）、「使用モード設定釦」によって設定されている現在のモードが２分割モードであるか否かを判断する（ステップＳ２）。
【００７３】
ノーであれば（標準モードであれば）、その操作に応じて副入力バス１を動作させる指示を、通信路１２経由でスイッチャ本体１内の制御部４に送信する（ステップＳ３）。そして処理を終了する。他方イエスであれば、制御部４に指示を送信することなく、この操作入力部２２からの信号を破棄する（ステップＳ４）。そして処理を終了する。
【００７４】
また、制御部２１は、リモートコントローラ３から通信路１３，１４経由でトリガや指示（以下単に指示と呼ぶ）を受信すると、図８に示すような処理を実行する。リモートコントローラ３から指示を受信すると（ステップＳ１１）、「使用モード設定釦」によって現在設定されているモードが２分割モードであるか否かを判断する（ステップＳ１２）。
【００７５】
イエスであれば、リモートコントローラ３から受信した指示を、リモートコントローラ３の操作による指示である（コントロールパネル２の操作入力部２２の操作による指示ではない）ことを識別できるようにして、通信路１２経由でスイッチャ本体１内の制御部４に転送する（ステップＳ１３）。そして処理を終了する。他方ノーであれば（標準モードであれば）、リモートコントローラ３から受信した指示を、スイッチャ本体１内の制御部４に転送することなく破棄する（ステップＳ１４）。そして処理を終了する。
【００７６】
次に、コントロールパネル２の操作入力部２２の「使用モード設定釦」で設定される使用モードに関連してスイッチャ本体１内の制御部４が個々のＭ／ＥバンクＭ／Ｅ１〜Ｍ／Ｅ４毎に実行する処理について説明する。なお、本発明は２分割モード時に同じＭ／Ｅバンクの主回路ブロック・副回路ブロック間でリエントリが行われる場合の処理に特徴を有するものであるが、最初にこの同一Ｍ／Ｅバンク内でのリエントリ以外に関する処理を図９〜図１３を用いて説明し、その後に同一Ｍ／Ｅバンク内でのリエントリに関する処理を図１４〜図１８を用いて説明する。
【００７７】
〔同一Ｍ／Ｅバンク内でのリエントリ以外に関する処理〕
図９は、スイッチャ本体１内の制御部４が、コントロールパネル２内の制御部２１から前述の２分割モード移行指示を受信したときに実行するモード切替処理を示すフローチャートである。制御部２１から２分割モード移行指示を受信すると（ステップＳ２１）、現在の使用モードが２分割モードであることを内部のメモリに記憶する（ステップＳ２２）。続いて、副画像合成部７を使用可能な状態に設定し（ステップＳ２３）、合成選択部９の主補完信号ライン９ｃで内部信号発生器８からの主内部発生信号を選択する（ステップＳ２４）。そして処理を終了する。
【００７８】
図１０は、スイッチャ本体１内の制御部４が、コントロールパネル２内の制御部２１から前述の２分割モード解除指示を受信したときに実行するモード切替処理を示すフローチャートである。制御部２１から２分割モード解除指示を受信すると（ステップＳ３１）、現在の使用モードが標準モードであることを内部のメモリに記憶する（ステップＳ３２）。そして、副画像合成部７を使用不可能な状態に設定し（ステップＳ３３）、処理を終了する。
【００７９】
図１１は、スイッチャ本体１内の制御部４が、主画像合成部６によって図５（ｂ）のワイプボーダーを施している最中に、コントロールパネル２内の制御部２１から、合成選択部９の主補完信号ライン９ｃで入力バス５ｄ（共通入力バスである副入力バス１）からの映像信号を選択する指示を受信したときに実行する処理を示す。制御部２１からこの指示を受信すると（ステップＳ４１）、現在の使用モード（図９のステップＳ２２や図１０のステップＳ３２で記憶したモード）が２分割モードであるか否かを判断する（ステップＳ４２）。
【００８０】
イエスであれば、この指示を受け付けず（ステップＳ４３）、そのまま処理を終了する。他方ノーであれば（標準モードであれば）、この指示に応じて、入力バス５ｄからの映像信号を主補完信号ライン９ｃで選択する（ステップＳ４４）。そして処理を終了する。
【００８１】
図１２は、スイッチャ本体１内の制御部４が、コントロールパネル２内の制御部２１から、主画像合成部６によって映像信号に施すエフェクトの種類として図５（ｃ）のＤＭＥ−ワイプを選択する指示を受信したときに実行する処理を示す。制御部２１からこの指示を受信すると（ステップＳ５１）、現在の使用モードが２分割モードであるか否かを判断する（ステップＳ５２）。
【００８２】
イエスであれば、コントロールパネル２内の制御部２１から受信している主補完信号ライン９ｃの動作の指示とは無関係に、合成選択部９の主補完信号ライン９ｃで、内部信号発生器８からの主内部発生信号を選択する（ステップＳ５３）。そして、主画像合成部６によってＤＭＥ−ワイプを開始し（ステップＳ５５）、処理を終了する。
【００８３】
他方ノーであれば（標準モードであれば）、コントロールパネル２内の制御部２１から受信している主補完信号ライン９ｃの動作の指示に応じて、副入力バス１からの映像信号か主内部発生信号かのいずれかを主補完信号ライン９ｃで選択する（ステップＳ５４）。そしてステップＳ５５に進む。
【００８４】
図１３は、スイッチャ本体１内の制御部４が、コントロールパネル２内の操作入力部２２の操作による入力選択部５，主画像合成部６，合成選択部９の動作の指示（ただし、図１１及び図１２に示した指示を除く）や、リモートコントローラ３の操作による入力選択部５，副画像合成部７，合成選択部９の動作の指示（コントロールパネル２によって転送された指示）を受信したときに実行する処理を示す。
【００８５】
制御部２１からこれらのうちのいずれかの指示を受信すると（ステップＳ６１）、受信した指示が、リモートコントローラ３の操作による指示であるか否かを判断する（ステップＳ６２）。
【００８６】
ノーであれば（コントロールパネル２の操作入力部２２の操作による指示であれば）、その指示に応じて、指示の対象の回路（入力選択部５の入力バス５ａ，５ｂ，５ｄ（主入力バス１，主入力バス２，副入力バス１）か、主画像合成部６か、合成選択部９の主現在出力信号ライン９ａ，主次回出力信号ライン９ｂ）を動作させる（ステップＳ６３）。そして処理を終了する。
【００８７】
ステップＳ６２でイエスであれば、現在の使用モードが２分割モードであるか否かを判断する（ステップＳ６４）。ノーであれば（標準モード）であれば、スイッチャ１内の回路を動作させることなく、そのまま処理を終了する。他方イエスであれば、指示の対象の回路が副画像合成部７であるか否かを判断する（ステップＳ６５）。
【００８８】
イエスであれば、その指示に応じて、合成選択部９から副画像合成部７に供給される映像信号に副画像合成部７でエフェクトを施す（ステップＳ６６）。そして処理を終了する。
【００８９】
ステップＳ６５でノーであれば、指示の対象の回路が入力選択部５であるか否かを判断する（ステップＳ６７）。イエスであれば、その指示に応じて、入力選択部５の入力バス５ｄ，５ｅ（副入力バス１，副入力バス２）で選択する映像信号を切り換える（ステップＳ６８）。そして処理を終了する。
【００９０】
ステップＳ６７でノーであれば、指示の対象の回路が合成選択部９であるか否かを判断する（ステップＳ６９）。イエスであれば、その指示に応じて、合成選択部９の副現在出力信号ライン９ｄ，副次回出力信号ライン９ｅ，副補完信号ライン９ｆで映像信号を選択する（ステップＳ７０）。そして処理を終了する。他方ノーであれば、スイッチャ１内の回路を動作させることなく、そのまま処理を終了する。
【００９１】
〔同一Ｍ／Ｅバンク内でのリエントリに関する処理（１Ｈディレイモード）〕
図１４は、コントロールパネル２でのセットアップ操作時に１Ｈディレイモードに設定されていた場合において、２分割モード時に、スイッチャ本体１の外部からの映像信号またはその映像信号をカラーコレクション部１０（図３）で色補正した映像信号（以下単に外部からの映像信号と呼ぶ）がＭ／ＥバンクＭ／Ｅ１内の主画像合成部６（図３，図４）に供給され、この主画像合成部６の出力映像信号が同じＭ／ＥバンクＭ／Ｅ１内の副画像合成部７（図４）にリエントリされる場合の、この主画像合成部６と副画像合成部７との信号処理の時間的ずれを示す図である。図では、Ｍ／ＥバンクＭ／Ｅ１内の主画像合成部６，副画像合成部７をそれぞれＭ／Ｅ１主，Ｍ／Ｅ１副と表記している（後出の図１５，図１９，図２０でも同様である）。このような運用は、機器を増やすことなく、画像合成部による処理の回数を増やしたい場合になされ、この場合、リモートコントローラ３はコントロールパネル２と連結して同じ場所で操作されるか、あるいはコントロールパネル２の一部をソフトウェア制御により様々な機能に使える様にしておき、設定によりリモートコントローラ３と同様の機能を果たすようにして、操作されるなどが想定される。
【００９２】
外部からの映像信号に対する入力処理（図３では入力処理を行う回路は省略している）や色補正処理等に要する時間が最大ｔｐであり、Ｍ／ＥバンクＭ／Ｅ１内の主画像合成部６の処理はタイミングｔｐから開始する。
【００９３】
個々の主画像合成部６，副画像合成部７での処理に要する時間が最大ｔｍであるとすると、Ｍ／ＥバンクＭ／Ｅ１内の主画像合成部６の出力映像信号は、ｔ１＝ｔｐ＋ｔｍよりもわずかに早いタイミングで、Ｍ／ＥバンクＭ／Ｅ１内の副入力バス５ｄまたは５ｅ（図４）で選択されてＭ／ＥバンクＭ／Ｅ１内の副画像合成部７の入力側に到達する。
【００９４】
スイッチャ本体１内の制御部４は、主画像合成部６の出力映像信号を選択した副入力バス上の遅延調整回路（例えば副入力バス５ｄであれば遅延調整回路２０ｄ（図４）を制御して、この映像信号の水平期間の先頭であるＥＡＶ（End of Active Video）を検出させ、ｔ１よりもタイミングが早かった分＋１Ｈ（１水平期間）−ｔｍだけこの映像信号に遅延を加えさせる。その結果、図１４に示しているように、主画像合成部６の出力映像信号は、１つ後の水平期間のｔｐで副画像合成部７に供給される。
【００９５】
他方、外部からの映像信号もＭ／ＥバンクＭ／Ｅ１内の副画像合成部７に供給される場合、その映像信号は、ｔｐよりもわずかに早いタイミングでこの副画像合成部７の入力側に到達する。スイッチャ本体１内の制御部４は、この外部からの映像信号を選択した副入力バス上の遅延調整回路（例えば副入力バス５ｅであれば遅延調整回路２０ｅ）を制御して、ＥＡＶを検出させ、ｔｐよりもタイミングが早かった分だけこの映像信号に遅延を加えさせる。
【００９６】
これにより、同じＭ／ＥバンクＭ／Ｅ１内の主画像合成部６からリエントリされる映像信号と、外部からの映像信号とは、リエントリされた映像信号のほうが１Ｈ遅れとなるが、副画像合成部７の入口では同位相ｔｐとなる。したがって、副画像合成部７でこの２つの映像信号を例えば合成した場合、画面上では、リエントリされたほうの映像が１ライン分下側にずれるが、横にずれることがない。したがって、合成された映像は、視認上、ずれのない映像とほとんど同じに見えるようになる。
【００９７】
なお、図１４の例では、Ｍ／ＥバンクＭ／Ｅ１内の副画像合成部７の出力映像信号をＭ／ＥバンクＭ／Ｅ２〜Ｍ／Ｅ４，出力回路１１ｂに順に入力させており、Ｍ／ＥバンクＭ／Ｅ２，Ｍ／Ｅ３，Ｍ／Ｅ４，出力回路１１ｂの処理は、それぞれ同じ１Ｈ遅れのタイミングｔ１＝ｔｐ＋ｔｍ，ｔ２＝ｔ１＋ｔｍ，ｔ３＝ｔ２＋ｔｍ，ｔ４＝ｔ３＋ｔｍから開始する。この場合のＭ／ＥバンクＭ／Ｅ２〜Ｍ／Ｅ４での遅延制御は、図２を用いて説明した通常の遅延制御と同じである。また、出力回路１１ｂでは、１Ｈ−ｔ４と出力回路１１ｂでの処理に要する時間との差分だけ映像信号に遅延を加える。
【００９８】
図１４の例とは逆に、Ｍ／ＥバンクＭ／Ｅ１内の副画像合成部７から主画像合成部６にリエントリが行われる場合にも、スイッチャ本体１内の制御部４は、主画像合成部６の入力側の遅延調整回路のうちの副画像合成部７の出力映像信号を選択した主入力バス上の遅延調整回路と外部からの映像信号を選択した主入力バス上の遅延調整回路とを制御して、副画像合成部７からリエントリされる映像信号を、外部から主画像合成部６に供給される映像信号よりも１Ｈ遅れにする。
【００９９】
また、Ｍ／ＥバンクＭ／Ｅ１内の主画像合成部６，副画像合成部７のうちの一方の合成部に他のＭ／ＥバンクＭ／Ｅ２〜Ｍ／Ｅ４の出力映像信号がリエントリされ（図２に示したタイミングｔ１，ｔ２またはｔ３でリエントリされ）、その合成部の出力信号がＭ／ＥバンクＭ／Ｅ１内の他方の合成部にリエントリされる場合も、スイッチャ本体１内の制御部４は、全く同様にして、この他方の合成部にリエントリされる映像信号を、この他方の合成部に供給される他の映像信号（外部からの映像信号や、Ｍ／ＥバンクＭ／Ｅ２〜Ｍ／Ｅ４の出力映像信号や、カラーコレクション部１０の出力映像信号）よりも１Ｈ遅れで同位相（位相ｔ１，ｔ２またはｔ３）にする。
【０１００】
また、Ｍ／ＥバンクＭ／Ｅ１内の主画像合成部６，副画像合成部７のうちの一方の合成部の出力映像信号が、他のＭ／ＥバンクＭ／Ｅ２〜Ｍ／Ｅ４のうちの１つ以上を経由してＭ／ＥバンクＭ／Ｅ１内の他方の合成部にリエントリされるというような間接的なＭ／ＥバンクＭ／Ｅ１内でのリエントリの場合も、スイッチャ本体１内の制御部４は、全く同様にして、この他方の合成部にリエントリされる映像信号を、この他方の合成部に供給される他の映像信号よりも１Ｈ遅れで同位相にする。
【０１０１】
図１５は、そうした間接的なＭ／ＥバンクＭ／Ｅ１内でのリエントリの一例として、Ｍ／ＥバンクＭ／Ｅ１内の主画像合成部６の出力映像信号がＭ／ＥバンクＭ／Ｅ２を経由してＭ／ＥバンクＭ／Ｅ１内の副画像合成部７にリエントリされる場合の処理の時間的ずれを示す図である。Ｍ／ＥバンクＭ／Ｅ２を経由したＭ／ＥバンクＭ／Ｅ１内の主画像合成部６の出力映像信号は、ｔ２＝ｔ１＋ｔｍよりもわずかに早いタイミングで、Ｍ／ＥバンクＭ／Ｅ１内の副画像合成部７の入力側に到達する。
【０１０２】
スイッチャ本体１内の制御部４は、ｔ２よりもタイミングが早かった分＋１Ｈ（１水平期間）−２ｔｍだけこの映像信号に遅延を加えさせる。その結果、図１５に示しているように、主画像合成部６の出力映像信号は、１つ後の水平期間のｔｐで副画像合成部７に供給される。
【０１０３】
他方、外部からの映像信号もＭ／ＥバンクＭ／Ｅ１内の副画像合成部７に供給される場合、その映像信号は、ｔｐよりもわずかに早いタイミングでこの副画像合成部７の入力側に到達する。スイッチャ本体１内の制御部４は、ｔｐよりもタイミングが早かった分だけこの映像信号に遅延を加えさせる。
【０１０４】
これにより、同じＭ／ＥバンクＭ／Ｅ１内の主画像合成部６からＭ／ＥバンクＭ／Ｅ２経由でリエントリされる映像信号と、外部からの映像信号とは、リエントリされた映像信号のほうが１Ｈ遅れとなるが、副画像合成部７の入口では同位相ｔｐとなる。
【０１０５】
ここではＭ／ＥバンクＭ／Ｅ１について説明したが、スイッチャ本体１内の制御部４は、Ｍ／ＥバンクＭ／Ｅ２内でのリエントリや、Ｍ／ＥバンクＭ／Ｅ３内でのリエントリや、Ｍ／ＥバンクＭ／Ｅ４内でのリエントリの場合にも、全く同様な遅延制御を行う。
【０１０６】
図１６は、以上に説明したような遅延制御を含めて、スイッチャ本体１内の制御部４が各Ｍ／ＥバンクＭ／Ｅ１〜Ｍ／Ｅ４毎に個々の入力バス５ａ〜５ｆ上の遅延調整回路２０ａ〜２０ｆの遅延量を決定する処理を示すフローチャートである。
【０１０７】
この処理は、Ｍ／ＥバンクＭ／Ｅ１〜Ｍ／Ｅ４のうちのいずれかのＭ／Ｅバンクの入力バスでの映像信号の選択が変更される毎にスタートし、最初に、そのＭ／Ｅバンクの番号（Ｍ／Ｅ１〜Ｍ／Ｅ４の添字１〜４）を、制御部４内部のメモリに用意した調査済Ｍ／Ｅ番号リストに追加する（ステップＳ７１）。
【０１０８】
続いて、そのＭ／Ｅバンクの全ての入力バス５ａ〜５ｆを対象として、個々の入力バス毎に、以下のようなループ処理を行う。
【０１０９】
このループ処理は、個々の入力バス毎に、上流のＭ／Ｅバンク（そのバスへの映像信号が経由したＭ／Ｅバンクの直列最高段数）の数である上流Ｍ／Ｅ数と、上流のＭ／Ｅバンクの番号とを記憶するための処理であり、まず、その入力バスのクロスポイント（入力ラインＩ１〜Ｉ１５のうちのどの入力ラインの映像信号を選択しているか）を調べる（ステップＳ７２）。
【０１１０】
続いて、その入力バスで選択している映像信号が、Ｍ／ＥバンクＭ／Ｅ１〜Ｍ／Ｅ４のうちのいずれかからリエントリされた映像信号であるかを判断する（ステップＳ７３）。
【０１１１】
ノーであれば（すなわち、その入力バスで選択している映像信号が外部からの映像信号であれば）、上流Ｍ／Ｅ数はゼロなので、その入力バス上の遅延調整回路を制御して、その映像信号に、外部からの映像信号としての通常どおりの遅延（タイミングが早かった分だけ遅延）を加えさせる（ステップＳ７４）。そして、次の入力バスについての処理に移る。
【０１１２】
ステップＳ７３でイエスであった場合は、リエントリされた映像信号は、同じＭ／Ｅバンクの出力映像信号か（同じＭ／Ｅバンク内の主画像合成部６・副画像合成部７間でリエントリされた映像信号か）を判断する（ステップＳ７５）。
【０１１３】
イエスであれば、その入力バス上の遅延調整回路を制御して、その映像信号を、図１４を用いて説明したように他の映像信号よりも１Ｈ遅延させる。また、上流Ｍ／Ｅ数としてゼロを記憶するとともに、その入力バスが１Ｈ遅延を行った入力バスであることを記憶する（ステップＳ７６）。そして、次の入力バスについての処理に移る。
【０１１４】
ステップＳ７５でノーであった場合は、リエントリされた映像信号が、図１５に例示したように他のＭ／Ｅバンクを経由した同じＭ／Ｅバンクの出力映像信号であるかを確認するためのＭ／Ｅ上流調査処理を実行する（ステップＳ７７）。このＭ／Ｅ上流調査処理については、後で図１７を用いて説明する。
【０１１５】
Ｍ／Ｅ上流調査処理を終了すると、上流に同じＭ／Ｅバンクが存在したか（リエントリされた映像信号が、他のＭ／Ｅバンクを経由した同じＭ／Ｅバンクの出力映像信号であったか）を判断する（ステップＳ７８）。
【０１１６】
イエスであれば、前述のステップＳ７６に進む。他方ノーであれば、上流Ｍ／Ｅ数及び上流のＭ／Ｅバンクの番号を記憶する。また、その入力バス上の遅延調整回路を制御して、その映像信号に、上流Ｍ／Ｅバンク数に応じた通常の遅延（図１４を用いて説明したような遅延）を加えさせる予定にする（ステップＳ７９）。そして、次の入力バスについての処理に移る。
【０１１７】
全ての入力バス５ａ〜５ｆについてこのループ処理を終えると、上流Ｍ／Ｅ数が最大であった入力バスについての上流Ｍ／Ｅ数及び全ての上流のＭ／Ｅバンクの番号を、そのＭ／Ｅバンクについての上流Ｍ／Ｅ数及び上流のＭ／Ｅバンクの番号として記憶する（ステップＳ８０）。そして処理を終了する。
【０１１８】
図１７は、Ｍ／Ｅ上流調査処理を示すフローチャートである。この処理は、Ｍ／Ｅバンクの番号Ｎ（１〜４）を引数とする処理であり、最初に、番号Ｎが前述の調査済Ｍ／Ｅ番号リストに既に存在しているかを判断する（ステップＳ８１）。
【０１１９】
イエスであれば、その旨（Ｍ／Ｅバンクの番号）を返して（ステップＳ８２）、処理を終了する。他方ノーであれば、そのＭ／Ｅバンクの番号を、調査済Ｍ／Ｅ番号リストに新たに追加する（ステップＳ８３）。そして、そのＭ／Ｅバンクの全ての入力バス５ａ〜５ｆを対象として、個々の入力バス毎に、以下のようなループ処理を行う。
【０１２０】
このループ処理は、基本的には、図１６に示した遅延量決定処理のステップＳ７２〜Ｓ７９のループ処理と共通した内容である（ステップＳ８９のＭ／Ｅ上流調査処理も、この図１７のＭ／Ｅ上流調査処理と同じものである）。ただし、遅延量決定処理のステップＳ７４，Ｓ７６，Ｓ７９に相当するステップＳ８６，Ｓ８８，Ｓ９１では、遅延調整回路２０ａ〜２０ｆの制御は行わず、上流Ｍ／Ｅ数や上流のＭ／Ｅバンクの番号の記憶のみを行う。また、ステップＳ８５において、リエントリかどうかの判定を行うが、その入力バスが前回映像信号の選択が変更された際にステップＳ７６で１Ｈ遅延とされていた場合には、リエントリとは判定せず、外部からの映像信号と同様に扱いステップＳ８６へ進む。
【０１２１】
そして、このループ処理を終えると、上流Ｍ／Ｅ数が最大であった入力バスについての上流Ｍ／Ｅ数と、上流の全てのＭ／Ｅバンクの番号とを返して（ステップＳ９２）、処理を終了する。
【０１２２】
ところで、スイッチャ本体１内の制御部４は、Ｍ／ＥバンクＭ／Ｅ１〜Ｍ／Ｅ４のうちの２以上のＭ／Ｅバンク内でそれぞれリエントリが行われる場合も、それぞれのＭ／Ｅバンクについて、全く同様な遅延制御を行う。したがって、例えば或る映像信号について、Ｍ／ＥバンクＭ／Ｅ１内でリエントリと、Ｍ／ＥバンクＭ／Ｅ２内でのリエントリと、Ｍ／ＥバンクＭ／Ｅ３内でのリエントリと、Ｍ／ＥバンクＭ／Ｅ４内でのリエントリが続けて行われた場合、その映像信号は、Ｍ／ＥバンクＭ／Ｅ４内でリエントリが行われた時点では、４Ｈ遅れで他の映像信号と同位相になる。
【０１２３】
このように複数水平期間分の遅れが生じると、２つの映像信号を例えば合成した場合、画面上では、リエントリされたほうの映像が複数ライン分下側にずれることになる。この下側にずれたラインよりも上側のラインには水平ブランキング期間のアンシラリ・データが入り込むので、ずれのライン数（すなわち同じＭ／Ｅバンク内でのリエントリの回数）が多くなると、アンシラリ・データがノイズ画像として見えてしまこともある。
【０１２４】
そこで、スイッチャ本体１内の制御部４は、出力部１１内の出力回路１１ｂ（図３）を制御して、このずれのライン数分だけ、映像信号の画像領域のうちの最初のラインに前述の垂直ブランク・マスクを行わせることにより、アンシラリ・データがノイズ画像として見えることを防止する。
【０１２５】
図１８は、この垂直ブランク・マスクのライン数を決定するためにスイッチャ本体１内の制御部４が実行する処理を示すフローチャートである。この処理では、最初に、出力部１１の上流の全てのＭ／Ｅバンクの番号を取得する（ステップＳ１０１）。
【０１２６】
続いて、上流の各Ｍ／Ｅバンクについて、図１６の遅延量決定処理で１Ｈ遅延を行った入力バスが存在するかを調べ、存在すれば１ずつカウントする（ステップＳ１０２）。そして、そのカウントの合計値を垂直ブランク・マスクのライン数として決定して（ステップＳ１０３）、処理を終了する。
【０１２７】
この垂直ブランク・マスクによって画面の上端は黒くなるが、数ラインなので視認上ほとんど問題ない。ただし、放送事業者によっては、このような数ラインの欠落を問題視することがある。また、複数の画像を画面上で組み合わせる効果を施した際に、このような１〜数ラインの「位置ずれ」が、画面上のずれとなり気になると、判断する場合もある。
【０１２８】
そこで、このような放送事業者に配慮し、前述のように、セットアップ時の操作の一つとして、２分割モード時に同じＭ／Ｅバンク内でのリエントリを禁止する（Disable）設定を行えるようになっている。
【０１２９】
このDisableに設定すると、スイッチャ本体１内の制御部４は、コントロールパネル２やリモートコントローラ３での映像信号の選択操作が同一Ｍ／Ｅバンク内でのリエントリ（間接的なものも含む）に該当する場合、その操作に従った入力バス５ａ〜５ｆのクロスポイント制御を行わない。具体的には、コントロールパネル２やリモートコントローラ３での映像信号の選択操作に対応するクロスポイント制御のそれぞれについて、そのクロスポイントから図１６，図１７に示したような上流への遡りチェックを行い、遡りの経路上で同一Ｍ／Ｅバンクが現れる場合は、そのクロスポイント制御を行わない。
【０１３０】
また、スイッチャ本体１内の制御部４は、このリエントリの設定が許可（Enable）から禁止（Disable）に切り替えられたときには、全てのＭ／ＥバンクＭ／Ｅ１〜Ｍ／Ｅ４の入力バス５ａ〜５ｆの現在のクロスポイントをチェックし、同一Ｍ／Ｅバンク内でのリエントリ（間接的なものも含む）に該当するクロスポイントが存在する場合は、同一Ｍ／Ｅバンク内でのリエントリに該当しなくなるようなクロスポイント制御（例えば、外部からの映像信号を選択させたり、あるいは、図４の合成選択部９のほうで入力選択部５からではなく内部信号発生器８からの信号を選択させる）を自動的に行う。
【０１３１】
なお、この画像切り換え装置を設置した放送局内では、各種のタリー表示器に、同一Ｍ／Ｅバンク内でのリエントリを反映した表示を行わせる、すなわち、タリーの生成において、同一Ｍ／Ｅバンク内でのリエントリを、別々のＭ／Ｅバンク間でのリエントリと全く同様にして遡らせるものとする。タリーとは、或る出力信号の源にある入力信号などを示すデータである。タリーの生成処理では、或る出力から、関係している入力へ順に遡り、源を特定して、全部の源を含むデータを作成する。その途中にＭ／Ｅバンクが存在していれば、注目している出力に影響している入力バスを、そのＭ／Ｅバンクの画像加工状態から判断し、さらにそれらの入力バスがクロスポイントで選択している入力へ遡る。
【０１３２】
〔同一Ｍ／Ｅバンク内でのリエントリに関する処理（スプリットモード）〕
コントロールパネル２でのセットアップ操作時にスプリットモードに設定されていた場合は、コントロールパネル２内の制御部２１（図６）及びスイッチャ本体１内の制御部４は、共通入力バスである入力選択部５の入力バス５ｄ（副入力バス１）を共通回路として使用することを禁止する。
【０１３３】
すなわち、コントロールパネル２内の制御部２１は、図７に示した処理において、操作入力部２２からの、入力バス５ｄを動作させる操作が行われたことを示す信号を常に破棄する。また、スイッチャ本体１内の制御部４は、合成選択部９において主補完信号ライン９ｃに入力バス５ｄを取ることを禁止し、常に主内部発生信号を取るように制御する。
【０１３４】
そして、スイッチャ本体１内の制御部４は、標準モード時には、遅延調整回路２０ａ〜２０ｆを制御して、主画像合成部６，副画像合成部７に入力する全ての映像信号の位相を同位相とする。他方、２分割モード時には、遅延調整回路２０ａ〜２０ｆを制御して、主画像合成部６に入力する映像信号の位相と、副画像合成部７に入力する映像信号の位相とを別の位相とする。
【０１３５】
図１９は、スプリットモードに設定されていた場合において、２分割モード時に、外部からの映像信号がＭ／ＥバンクＭ／Ｅ１内の主画像合成部６（図３，図４）に供給され、この主画像合成部６の出力映像信号が同じＭ／ＥバンクＭ／Ｅ１内の副画像合成部７（図４）にリエントリされる場合の、この主画像合成部６と副画像合成部７との処理の時間的ずれを示す図である。
【０１３６】
図１４について説明したのと全く同様にして、Ｍ／ＥバンクＭ／Ｅ１内の主画像合成部６の処理は、タイミングｔｐから開始し、Ｍ／ＥバンクＭ／Ｅ１内の主画像合成部６の出力映像信号はｔ１＝ｔｐ＋ｔｍよりもわずかに早いタイミングで、Ｍ／ＥバンクＭ／Ｅ１内の副入力バス５ｄまたは５ｅ（図４）で選択されてＭ／ＥバンクＭ／Ｅ１内の副画像合成部７の入力側に到達する。
【０１３７】
スイッチャ本体１内の制御部４は、主画像合成部６の出力映像信号を選択した副入力バス上の遅延調整回路（例えば副入力バス５ｄであれば遅延調整回路２０ｄ（図４）を制御して、この映像信号の水平期間の先頭であるＥＡＶ（End of Active Video）を検出させ、ｔ１よりもタイミングが早かった分だけこの映像信号に遅延を加えさせる。
【０１３８】
他方、外部からの映像信号もＭ／ＥバンクＭ／Ｅ１内の副画像合成部７に供給される場合、スイッチャ本体１内の制御部４は、この外部からの映像信号を選択した副入力バス上の遅延調整回路（例えば副入力バス５ｅであれば遅延調整回路２０ｅ（図４））を制御して、ＥＡＶを検出させ、ｔｐよりもタイミングが早かった分＋ｔｍだけこの映像信号に遅延を加えさせる。
【０１３９】
これにより、同じＭ／ＥバンクＭ／Ｅ１内の主画像合成部６からリエントリされる映像信号も、外部からの映像信号も、Ｍ／ＥバンクＭ／Ｅ１内の副画像合成部７の入口では同位相ｔ１となるので、この２つの映像信号を加工した際に画像のずれを生じることがなくなる。
【０１４０】
スプリットモードでは、この画像切り換え装置の全体としての信号処理時間は１Ｈと規定されている。そして、図１９の例では、Ｍ／ＥバンクＭ／Ｅ１内の副画像合成部７の出力映像信号をＭ／ＥバンクＭ／Ｅ２〜Ｍ／Ｅ３，出力回路１１ｂに順に入力させており、Ｍ／ＥバンクＭ／Ｅ２，Ｍ／Ｅ３，出力回路１１ｂの処理は、それぞれタイミングｔ２＝ｔ１＋ｔｍ，ｔ３＝ｔ２＋ｔｍ，ｔ４＝ｔ３＋ｔｍから開始する。この場合のＭ／ＥバンクＭ／Ｅ２〜Ｍ／Ｅ３での遅延制御は、図２を用いて説明したＭ／ＥバンクＭ／Ｅ３〜Ｍ／Ｅ４での遅延制御と同じである。また、出力回路１１ｂでは、１Ｈ−ｔ４と出力回路１１ｂでの処理に要する時間との差分だけ映像信号に遅延を加える。
【０１４１】
このように、スプリットモードでは、Ｍ／ＥバンクＭ／Ｅ１内でリエントリが行われた場合、同じ水平周期内にＭ／ＥバンクＭ／Ｅ１で２回遅延を加えて処理を行うので、１Ｈ内で経由可能なＭ／Ｅバンクの数が４つであるとすると、図２の場合と違って、Ｍ／ＥバンクＭ／Ｅ１の後経由できるＭ／Ｅバンクの数は２つまでとなる。このため、例えば、経由できないＭ／Ｅバンク（図１４ではＭ／Ｅ４）を全く別の映像の処理に使用し、Ｍ／Ｅ１とＭ／Ｅ２とＭ／Ｅ３のみで、４回の画像合成を行いたい場合に、このスプリットモードによる運用が効果を発揮する。
【０１４２】
図２０は、図１９とは別の例として、外部からの映像信号がＭ／ＥバンクＭ／Ｅ１内の主画像合成部６に供給され、この主画像合成部６の出力映像信号が同じＭ／ＥバンクＭ／Ｅ１内の副画像合成部７にリエントリされ、この副画像合成部７の出力映像信号がＭ／ＥバンクＭ／Ｅ２内の主画像合成部６にリエントリされ、この主画像合成部６の出力映像信号が同じＭ／ＥバンクＭ／Ｅ２内の副画像合成部７にリエントリされる場合の、各Ｍ／ＥバンクＭ／Ｅ１，Ｍ／Ｅ２の主画像合成部６と副画像合成部７との処理の時間的ずれを示す図である。
【０１４３】
この例の場合は、同じ水平周期内にＭ／ＥバンクＭ／Ｅ１，Ｍ／Ｅ２でそれぞれ２回遅延を加えて処理を行うので、１Ｈ内で経由可能なＭ／Ｅバンクの数が４つであるとすると、Ｍ／ＥバンクＭ／Ｅ２の後経由できるＭ／Ｅバンクは存在せず、Ｍ／ＥバンクＭ／Ｅ２内の副画像合成部７の出力映像信号を出力回路１１ｂに入力させることになる。
【０１４４】
なお、スプリットモードでは、前述のように、コントロールパネル２の操作入力部２２では入力バス５ｄ（共通入力バス）を共通回路として操作することができなくなる。そこで、コントロールパネル２内の制御部２１は、入力バス５ｄの操作が主回路ブロックとしては不可能なことを操作者に通知するために、表示部２３を制御して、主回路ブロックに関するＧＵＩ画面上で、入力バス５ｄの操作に関する部分（入力バス５ｄを操作する画面や、入力バス５ｄを示すアイコン等）の表示をグレーアウトさせる。
【０１４５】
以上に説明した画像切り換え装置によれば、まず、１つのＭ／Ｅバンクを主回路ブロック，副回路ブロックという２つのブロックに分けて使用可能にしたり、さらに、副回路ブロックの一部の回路を主回路ブロックとしても使用される共通回路とすることができるので、画像切り換え装置を少数の回路で構成して、その回路を用途の変化に応じて無駄なく使い分けることができる。
【０１４６】
また、セットアップ操作の一つとして１Ｈディレイモードに設定しておくと、２分割モード時において同一Ｍ／Ｅバンク内の主回路ブロック，副回路ブロックのうちの一方のブロックの出力映像信号が他方のブロックにリエントリされる場合、この他方のブロックにリエントリされる映像信号が、この他方のブロックの他の入力映像信号に対して１Ｈ遅延される。
【０１４７】
これにより、視認上の画像の乱れを生じることなく、主回路ブロック，副回路ブロックのうちの一方のブロックの出力映像信号を他方のブロックにリエントリさせることができる。
【０１４８】
他方、セットアップ操作の一つとしてスプリットモードに設定しておくと、２分割モード時において同一Ｍ／Ｅバンク内の主回路ブロック，副回路ブロックのうちの一方のブロックの出力映像信号が他方のブロックリエントリされる場合、主回路ブロックの入力映像信号と副回路ブロックの入力映像信号とが別の位相とされる。したがって、同じＭ／Ｅバンク内の主回路ブロックと副回路ブロックとが、図１及び図２に示した別々のＭ／Ｅバンクのように別位相で動作する。
【０１４９】
このように別位相で動作する主回路ブロック，副回路ブロックのうちの一方のブロックの出力映像信号を他方のブロックにリエントリさせた場合、この他方のブロックでは、リエントリされた映像信号と他の入力映像信号とを同位相とすることができるので、この２つの映像信号を加工した際に画像のずれを完全になくすことができる。
【０１５０】
これにより、共通回路としていた部分を共通回路としては使用することはできなくなるものの、画像の乱れを全く生じることなく、主回路ブロック，副回路ブロックのうちの一方のブロックの出力映像信号を他方のブロックにリエントリさせることができる。
【０１５１】
なお、コントロールパネル２およびリモートコントローラ３として例示したような操作部の数および配置と、Ｍ／Ｅバンクとの対応関係は、これに限らず、運用形態に応じて柔軟にすることで、本発明の効果であるリエントリの柔軟性を活用した柔軟な運用、操作が可能となる。
【０１５２】
例えば、２分割したＭ／Ｅバンクの主画像合成部と副画像合成部とを、全く別の用途で運用する場合は、リモートコントローラ３を別な場所に置いて運用する。その後、同じスイッチャを使い、２分割したＭ／Ｅバンクの主画像合成部から副画像合成部へリエントリして複雑な合成を施して運用する場合は、リモートコントローラ３を使用せず、コントロールパネル２に備えられた操作部の一部を主入力バスおよび主画像合成部の操作に充て、別の一部を副入力バスおよび副画像合成部の操作に充てることで、同じ場所で同時に操作でき、同じスイッチャを異なる運用形態それぞれに最適な方法で操作できる。
【０１５３】
請求項に記載した主操作部と副操作部を接続する通信路は、遠距離を結ぶ通信線に限定されず、筐体内のバスなどが該当することもあり、副操作部が主操作部と分離可能である必要性もなく、さらには、ＧＵＩによる仮想的な操作子の集合によって主操作部や副操作部が構成されてもよい。
【０１５４】
図１４などで説明した本発明の原理は、映像信号のフォーマット（画素数、走査線数、周波数など）が変わっても、各タイミング（遅延量など）をそれぞれのフォーマットで必要な信号処理時間などに応じて適宜調整することで、適用できる。
【０１５５】
１Ｈディレイモードにした場合に使用可能な共通回路としては、本発明の例のほか、Ｍ／Ｅバンク内に設けられるキーヤー（外部からの画像を重畳する回路）などもあり、これら回路も、スプリットモードでは、主画像合成部か副画像合成部のいずれか一方にのみ接続されるように、設定されるようにし、制御がなされる。このような制御による制限は、コントロールパネル２の表示機能等によって操作者に情報として提供される。
【０１５６】
また、以上の説明では、１Ｈディレイモードとスプリットモードとのいずれを採用するかの設定をスイッチャ単位で行う例を示したが、Ｍ／Ｅバンク単位で設定し、Ｍ／Ｅバンク毎に記憶するようにしてもよい。その場合、映像信号の選択が変更された際の動作はＭ／Ｅバンク毎に異なるが、スイッチャ全体としては、図１４や図１９に示されるような全体のタイミングの制約を守り、映像信号がＨ（水平走査線）単位での遅延となるようにすればよい。
【０１５７】
また、Ｍ／Ｅバンクの使用モードを標準モードか２分割モードかのいずれかに設定することについても、Ｍ／Ｅバンク毎に異なる設定が出来るようにしてもよい。その場合、２分割モードではないＭ／Ｅバンクについては、同じＭ／Ｅバンクからのリエントリはできないため、映像信号の選択が変更された際はそれを禁止して処理する。これは、公知の従来の機器と同じ処理でよい。
【０１５８】
また、以上の例では、１Ｈディレイモードにおいて、同一Ｍ／Ｅバンク内で主回路ブロック，副回路ブロックのうちの一方のブロックから他方のブロックにリエントリされた映像信号を、当該他方のブロックの他の入力映像信号よりも１Ｈ遅延させている。しかし、視認上の画像の乱れが生じない範囲（画面の上端が黒くなるライン数があまり多くならない範囲）で、同一Ｍ／Ｅバンク内で主回路ブロック，副回路ブロックのうちの一方のブロックから他方のブロックにリエントリされた映像信号を、当該他方のブロックの他の入力映像信号よりも１水平期間の整数倍（例えば２〜３Ｈ）遅延させるようにしてもよい。
【０１５９】
また、以上の例では主回路ブロックと副回路ブロックとを含んだＭ／Ｅバンクを４つ設けた画像切り換え装置に本発明を適用している。しかし、これに限らず、本発明は、主回路ブロックと副回路ブロックとを含んだＭ／Ｅバンクを１つ，２つ，３つまたは５つ以上設けた画像切り換え装置にも適用してよい。
【図面の簡単な説明】
【０１６０】
【図１】従来の画像切り換え装置の構成の概要を示す図である。
【図２】図１の画像切り換え装置の各Ｍ／Ｅバンクの処理の時間的ずれを例示する図である。
【図３】本発明を適用した画像切り換え装置の全体構成を示す図である。
【図４】図３の各Ｍ／Ｅバンクの構成を示す図である。
【図５】主画像合成部，副画像合成部が施すエフェクトの具体例を示す図である。
【図６】コントロールパネルの構成の概要を示す図である。
【図７】コントロールパネル内の制御部が、副入力バスの操作時に実行する処理を示すフローチャートである。
【図８】コントロールパネル内の制御部が、リモートコントローラからの指示の受信時に実行する処理を示すフローチャートである。
【図９】スイッチャ本体内の制御部が、２分割モード移行指示の受信時に実行する処理を示すフローチャートである。
【図１０】スイッチャ本体内の制御部が、２分割モード解除指示の受信時に実行する処理を示すフローチャートである。
【図１１】スイッチャ本体内の制御部が、ワイプボーダー中に主補完信号ラインで共通入力バスからの映像信号を選択する指示を受信したときに実行する処理を示すフローチャートである。
【図１２】スイッチャ本体内の制御部が、ＤＭＥ−ワイプの指示の受信時に実行する処理を示すフローチャートである。
【図１３】スイッチャ本体内の制御部が、入力選択部，主画像合成部，合成選択部９の動作の指示の受信時に実行する処理を示すフローチャートである。
【図１４】同一Ｍ／Ｅバンク内でリエントリが行われる場合の処理の時間的ずれを例示する図である。
【図１５】同一Ｍ／Ｅバンク内でリエントリが行われる場合の処理の時間的ずれを例示する図である。
【図１６】スイッチャ本体内の制御部が実行する遅延量決定処理を示すフローチャートである。
【図１７】スイッチャ本体内の制御部が実行するＭ／Ｅ上流調査処理を示すフローチャートである。
【図１８】スイッチャ本体内の制御部が実行する垂直ブランク・マスクのライン数決定処理を示すフローチャートである。
【図１９】同一Ｍ／Ｅバンク内でリエントリが行われる場合の処理の時間的ずれを例示する図である。
【図２０】同一Ｍ／Ｅバンク内でリエントリが行われる場合の処理の時間的ずれを例示する図である。
【符号の説明】
【０１６１】
１  スイッチャ本体、  ２  コントロールパネル、  ３  リモートコントローラ、  ４  制御部、  ５  入力選択部、  ５ａ  主入力バス１、  ５ｂ  主入力バス２、  ５ｃ  予備主入力バス、  ５ｄ  副入力バス１、  ５ｅ  副入力バス２、  ５ｆ  予備副入力バス、  ６  主画像合成部、  ７  副画像合成部、  ８  内部信号発生器、  ９  合成選択部、  １０  カラーコレクション部、  １１  出力部、  １２〜１４  通信路、  ２０ａ〜２０ｆ    遅延調整回路、  ２１  制御部、  ２２  操作入力部、  ２３  表示部、  Ｍ／Ｅ１〜Ｍ／Ｅ４  Ｍ／Ｅバンク、  Ｉ１〜Ｉ１５  入力ライン
【図１】
2009141517.tif 000003
【図２】
2009141517.tif 000004
【図３】
2009141517.tif 000005
【図４】
2009141517.tif 000006
【図５】
2009141517.tif 000007
【図６】
2009141517.tif 000008
【図７】
2009141517.tif 000009
【図８】
2009141517.tif 000010
【図９】
2009141517.tif 000011
【図１０】
2009141517.tif 000012
【図１１】
2009141517.tif 000013
【図１２】
2009141517.tif 000014
【図１３】
2009141517.tif 000015
【図１４】
2009141517.tif 000016
【図１５】
2009141517.tif 000017
【図１６】
2009141517.tif 000018
【図１７】
2009141517.tif 000019
【図１８】
2009141517.tif 000020
【図１９】
2009141517.tif 000021
【図２０】
2009141517.tif 000022